(57)【要約】【課題】フェイスマスクの使用性を高めることが可能となる、フェイスマスク及びガウンを提供すること。【解決手段】フェイスマスク１は、着用者が着用するマスクであって、少なくとも着用者の顔の少なくとも一部及び首の少なくとも一部を覆うマスク本体１０と、マスク本体１０を着用者の首に対して着脱自在に取り付けるための首側着脱部２０と、を備え、首側着脱部２０は、マスク本体１０における幅方向の一方の端部に設けられた第１首側着脱部２１と、マスク本体１０における幅方向の他方の端部に設けられた第２首側着脱部２２であり、第１首側着脱部２１に対して突き合わせることで取り付け可能な第２首側着脱部２２と、を備える。【選択図】図１
0003235613.tif 000002
【実用新案登録請求の範囲】
【請求項１】
着用者が着用するフェイスマスクであって、
少なくとも前記着用者の顔の少なくとも一部及び首の少なくとも一部を覆うマスク本体と、
前記マスク本体を前記着用者の首に対して着脱自在に取り付けるための首側着脱手段と、を備え、
前記首側着脱手段は、
前記マスク本体における幅方向の一方の端部に設けられた第１首側着脱手段と、
前記マスク本体における幅方向の他方の端部に設けられた第２首側着脱手段であり、前記第１首側着脱手段に対して突き合わせることで取り付け可能な第２首側着脱手段と、を備える、
フェイスマスク。
【請求項２】
前記第１首側着脱手段又は／及び前記第２首側着脱手段を、前記幅方向に略沿って複数並設した、
請求項１に記載のフェイスマスク。
【請求項３】
前記首側着脱手段を、スナッパー又は面ファスナーで構成した、
請求項１又は２に記載のフェイスマスク。
【請求項４】
前記マスク本体は、当該マスク本体の部分のうち前記着用者の顎下又はその近傍部分に対応する部分に設けられる摘まみ手段であり、前記着用者が当該フェイスマスクを着用した着用状態において、前記着用者によって当該摘まみ部が摘ままれながら引っ張られることにより前記首側着脱手段を取り外すことを可能にする摘まみ手段を備える、
請求項１から３のいずれか一項に記載のフェイスマスク。
【請求項５】
前記第１首側着脱手段と前記第２首側着脱手段を相互に結ぶ直線上に、前記摘まみ手段を設けた、
請求項４に記載のフェイスマスク。
【請求項６】
前記マスク本体は、当該マスク本体の部分のうち前記着用者の鼻から口に至る部分に対応する部分のみに設けられる複数のプリーツ手段を備える、
請求項４又は５に記載のフェイスマスク。
【請求項７】
前記マスク本体は、
前記着用者の鼻から首元に至る部分を略覆う第１マスク本体と、
前記第１マスク本体とは別体に構成された第２マスク本体であり、前記着用者の一方の耳から首後ろに至る部分を略覆う第２マスク本体と、
前記第１マスク本体及び前記第２マスク本体とは別体に構成された第３マスク本体であり、前記着用者の他方の耳から首後ろに至る部分を略覆う第３マスク本体と、
前記第１マスク本体と前記第２マスク本体とを所定の縫製方法によって接続する第１接続手段と、
前記第１マスク本体と前記第３マスク本体とを所定の縫製方法によって接続する第２接続手段と、を備える、
請求項４から６のいずれか一項に記載のフェイスマスク。
【請求項８】
前記マスク本体を前記着用者の耳に対して着脱自在に取り付けるための耳側着脱手段を備え、
前記耳側着脱手段を、前記第１接続手段又は前記第２接続手段に対して固定した、
請求項７に記載のフェイスマスク。
【請求項９】
請求項１から請求項８のいずれか一項に記載のフェイスマスクを備える、ガウン。
【考案の詳細な説明】
【技術分野】
【０００１】
本考案は、フェイスマスク、及びガウンに関する。
【背景技術】
【０００２】
従来から、着用者が着用するフェイスマスクの一つとして、顔を覆う第１の覆い布から第５の覆い布と、首の後をカバーする一対の第５の覆い布の各々における首の後側の端部に設けられた留め具であり、首の後でフェイスマスクを止めるための留め具とを備えるフェイスマスクが開示されている（例えば、特許文献１参照）。
【先行技術文献】
【特許文献】
【０００３】
【特許文献１】実用新案登録第３２２９６３６号公報
【考案の概要】
【考案が解決しようとする課題】
【０００４】
ここで、上記従来のフェイスマスクにおいては、一対の第５の覆い布の各々に設けられた留め具の構成の詳細が開示されていないので、例えば、着用者がフェイスマスクを着用した状態において、これら留め具同士の取付面が首の前後方向に対して直交するようにこれら留め具同士が取り付けられる場合には、第１の覆い布から第５の覆い布のいずれかが首の前側に向けて引っ張られたとしても、留め具同士が取り付けられた状態が維持されることで、フェイスマスクを取り外すことが難しくなるおそれがあった。よって、フェイスマスクの使用性を高める観点からは改善の余地があった。
【０００５】
本考案は、上記に鑑みてなされたものであって、フェイスマスクの使用性を高めることが可能となる、フェイスマスク及びガウンを提供することを目的とする。
【課題を解決するための手段】
【０００６】
請求項１に記載のフェイスマスクは、着用者が着用するフェイスマスクであって、少なくとも前記着用者の顔の少なくとも一部及び首の少なくとも一部を覆うマスク本体と、前記マスク本体を前記着用者の首に対して着脱自在に取り付けるための首側着脱手段と、を備え、前記首側着脱手段は、前記マスク本体における幅方向の一方の端部に設けられた第１首側着脱手段と、前記マスク本体における幅方向の他方の端部に設けられた第２首側着脱手段であり、前記第１首側着脱手段に対して突き合わせることで取り付け可能な第２首側着脱手段と、を備える。
【０００７】
請求項２に記載のフェイスマスクは、請求項１に記載のフェイスマスクにおいて、前記第１首側着脱手段又は／及び前記第２首側着脱手段を、前記幅方向に略沿って複数並設した。
【０００８】
請求項３に記載のフェイスマスクは、請求項１又は２に記載のフェイスマスクにおいて、前記首側着脱手段を、スナッパー又は面ファスナーで構成した。
【０００９】
請求項４に記載のフェイスマスクは、請求項１から３のいずれか一項に記載のフェイスマスクにおいて、前記マスク本体は、当該マスク本体の部分のうち前記着用者の顎下又はその近傍部分に対応する部分に設けられる摘まみ手段であり、前記着用者が当該フェイスマスクを着用した着用状態において、前記着用者によって当該摘まみ手段が摘ままれながら引っ張られることにより前記首側着脱手段を取り外すことを可能にする摘まみ手段を備える。
【００１０】
請求項５に記載のフェイスマスクは、請求項４に記載のフェイスマスクにおいて、前記第１首側着脱手段と前記第２首側着脱手段を相互に結ぶ直線上に、前記摘まみ手段を設けた。
【００１１】
請求項６に記載のフェイスマスクは、請求項４又は５に記載のフェイスマスクにおいて、前記マスク本体は、当該マスク本体の部分のうち前記着用者の鼻から口に至る部分に対応する部分のみに設けられる複数のプリーツ手段を備える。
【００１２】
請求項７に記載のフェイスマスクは、請求項４から６のいずれか一項に記載のフェイスマスクにおいて、前記マスク本体は、前記着用者の鼻から首元に至る部分を略覆う第１マスク本体と、前記第１マスク本体とは別体に構成された第２マスク本体であり、前記着用者の一方の耳から首後ろに至る部分を略覆う第２マスク本体と、前記第１マスク本体及び前記第２マスク本体とは別体に構成された第３マスク本体であり、前記着用者の他方の耳から首後ろに至る部分を略覆う第３マスク本体と、前記第１マスク本体と前記第２マスク本体とを所定の縫製方法によって接続する第１接続手段と、前記第１マスク本体と前記第３マスク本体とを所定の縫製方法によって接続する第２接続手段と、を備える。
【００１３】
請求項８に記載のフェイスマスクは、請求項７に記載のフェイスマスクにおいて、前記マスク本体を前記着用者の耳に対して着脱自在に取り付けるための耳側着脱手段を備え、前記耳側着脱手段を、前記第１接続手段又は前記第２接続手段に対して固定した。
【００１４】
請求項９に記載のガウンは、請求項１から請求項８のいずれか一項に記載のフェイスマスクを備える。
【考案の効果】
【００１５】
請求項１に記載のフェイスマスク、及び請求項９に記載のガウンによれば、首側着脱手段が、マスク本体における幅方向の一方の端部に設けられた第１首側着脱手段と、マスク本体における幅方向の他方の端部に設けられた第２首側着脱手段であり、第１首側着脱手段に対して突き合わせることで取り付け可能な第２首側着脱手段と、を備えるので、後述の着用状態において、マスク本体が首の前側に向けて引っ張られた際に、首側着脱手段を容易に取り外すことができ、フェイスマスクの使用性を高めることができる。
【００１６】
請求項２に記載のフェイスマスクによれば、第１首側着脱手段又は／及び第２首側着脱手段を、幅方向に略沿って複数並設したので、着用者の顔の大きさに応じて第２首側着脱手段を複数の第１首側着脱手段のいずれかに取り付けることができ、フェイスマスクを着用者に対してフィットさせやすくなる。
【００１７】
請求項３に記載のフェイスマスクによれば、首側着脱手段を、スナッパー又は面ファスナーで構成したので、首側着脱手段を安価且つ簡易に構成でき、フェイスマスクの製造性を高めることができる。
【００１８】
請求項４に記載のフェイスマスクによれば、マスク本体が、当該マスク本体の部分のうち着用者の顎下又はその近傍部分に対応する部分に設けられる摘まみ手段であり、着用状態において、着用者によって当該摘まみ手段が摘ままれながら引っ張られることにより首側着脱手段を取り外すことを可能にする摘まみ手段を備えるので、着用状態において首側着脱手段の取り外しを容易にでき、フェイスマスクの使用性を一層高めることができる。
【００１９】
請求項５に記載のフェイスマスクによれば、第１首側着脱手段と第２首側着脱手段を相互に結ぶ直線上に、摘まみ手段を設けたので、摘まみ手段を介して第１首側着脱手段及び第２首側着脱手段を効果的に引っ張ることができ、着用状態において首側着脱手段の取り外しを一層容易に行うことができる。
【００２０】
請求項６に記載のフェイスマスクによれば、マスク本体が、当該マスク本体の部分のうち着用者の鼻から口に至る部分に対応する部分のみに設けられる複数のプリーツ手段を備えるので、マスク本体を着用者の顔にフィットさせながら、摘まみ手段を容易に形成でき、フェイスマスクの着用性及び製造性を高めることができる。
【００２１】
請求項７に記載のフェイスマスクによれば、マスク本体が、着用者の鼻から首元に至る部分を略覆う第１マスク本体と、第１マスク本体とは別体に構成された第２マスク本体であり、着用者の一方の耳から首後ろに至る部分を略覆う第２マスク本体と、第１マスク本体及び第２マスク本体とは別体に構成された第３マスク本体であり、着用者の他方の耳から首後ろに至る部分を略覆う第３マスク本体と、第１マスク本体と第２マスク本体とを所定の縫製方法によって接続する第１接続手段と、第１マスク本体と第３マスク本体とを所定の縫製方法によって接続する第２接続手段と、を備えるので、第１マスク本体、第２マスク本体、及び第３マスク本体を一体形成する場合に比べて、摘まみ手段又は／及びプリーツ手段を比較的容易に形成でき、フェイスマスクの製造性を一層高めることができる。
【００２２】
請求項８に記載のフェイスマスクによれば、耳側着脱手段を、第１接続手段又は第２接続手段に対して固定したので、耳側着脱手段を強固に固定でき、耳側着脱手段の固定性を高めることができる。
【図面の簡単な説明】
【００２３】
【図１】本考案の実施の形態に係るフェイスマスクの構成を示す概略図であり、（ａ）は正面図、（ｂ）は背面図である。
【図２】フェイスマスクの着用状態を示す正面図である。
【図３】フェイスマスクの着用状態を示す側面図である。
【図４】フェイスマスクの着用状態を示す背面図である。
【図５】ガウンの構成を示す正面図である。
【考案を実施するための形態】
【００２４】
以下に添付図面を参照して、この考案に係るフェイスマスク、及びガウンの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本考案が限定されるものではない。
【００２５】
〔Ｉ〕実施の形態の基本的概念
最初に、実施の形態の基本的概念について説明する。実施の形態は、概略的に、着用者が着用するフェイスマスクと、当該フェイスマスクを備えるガウンに関するものである。
【００２６】
ここで、「着用者」とは、フェイスマスクを着用する対象者を意味し、例えば、特定の業種や職種に限定されない任意の作業現場の作業者等を含む概念であり、一例として、医療業務、看護業務、あるいは介護業務に従事する従事者等が該当する。
【００２７】
また、「フェイスマスク」とは、着用者の顔を覆うためのマスクであり、例えば、医療用マスクや介護用マスク等を含む概念であるが、実施の形態では、医療用マスクとして説明する。
【００２８】
また、「ガウン」とは、着用者の膝又は床に届くような丈の長い衣服であり、例えば、医療用ガウンや介護用ガウン等を含む概念である。
【００２９】
〔ＩＩ〕実施の形態の具体的内容
次に、実施の形態の具体的内容について説明する。
【００３０】
（構成）
最初に、実施の形態に係るフェイスマスクの構成について説明する。
【００３１】
以下の説明では、図１のＸ方向を左右方向又は幅方向（着用者（具体的には、医療業務に従事する従事者）から見た方向を基準とするものとし、−Ｘ方向を右方向、＋Ｘ方向を左方向）、図３のＹ方向を前後方向（＋Ｙ方向を前方向、−Ｙ方向を後方向）、図１のＺ方向を上下方向（＋Ｚ方向を上方向、−Ｚ方向を下方向）と称する。
【００３２】
図１に示すように、フェイスマスク１は、マスク本体１０、首側着脱部２０、及び耳側着脱部３０を備えている。
【００３３】
（構成−マスク本体）
まず、マスク本体１０の構成について説明する。
【００３４】
マスク本体１０は、フェイスマスク１の基本構造体であって、少なくとも着用者Ｍ（図３を参照）の顔の少なくとも一部及び首の少なくとも一部を覆うためのものであり、図１に示すように、第１マスク本体１１、第２マスク本体１２、第３マスク本体１３、第１接続部１４、第２接続部１５、摘まみ部１６、プリーツ部１７、及び補強部１８を備えている。
【００３５】
なお、以下では、マスク本体１０（具体的には、第１マスク本体１１、第２マスク本体１２、第３マスク本体１３）の面のうち、着用者Ｍの肌面側の面１０ａを「マスク内面１０ａ」と称し、着用者Ｍの肌面側とは反対側の面１０ｂを「マスク外面１０ｂ」と称する。
【００３６】
（構成−マスク本体−第１マスク本体）
第１マスク本体１１は、マスク本体１０の基本構造体の一部であり、着用者Ｍの鼻から首元に至る部分を略覆うためのものである。この第１マスク本体１１は、シート状体にて形成されており、図１、図２に示すように、着用者Ｍの鼻から首元に至る部分を略覆うことが可能な位置に設けられており、具体的には、フェイスマスク１の中央側に設けられている。
【００３７】
また、第１マスク本体１１の具体的な形状及び大きさについては任意であるが、実施の形態では、着用者Ｍの鼻から首の下端に至る部分を覆うことが可能な形状及び大きさに設定している。
【００３８】
具体的には、第１マスク本体１１の正面形状については、略四角形状（具体的には、略長方形状）に設定している。ただし、これに限らず、例えば、略正方形状、略台形状、又は略楕円形状に設定してもよい。
【００３９】
また、第１マスク本体１１の左右方向の長さについては、着用者Ｍの顔の左右方向の長さと略同一に設定している。
【００４０】
また、第１マスク本体１１の上下方向の長さについては、着用者Ｍの顔から首に至る部分の上下方向の長さよりも長く設定している。
【００４１】
また、第１マスク本体１１の厚さ（具体的には、前後方向の長さ）については、所望の耐久性を確保することが可能な厚さに設定している。
【００４２】
また、第１マスク本体１１の材質については、軽量な織物素材で構成されることが好ましく、例えば、ポリエステルで構成された高密度タフタ、又は当該高密度タフタに撥水加工が施されたもの等で形成されてもよい（なお、第２マスク本体１２及び第３マスク本体１３の材質についても略同様とする）。
【００４３】
（構成−マスク本体−第２マスク本体）
図１に戻り、第２マスク本体１２は、マスク本体１０の基本構造体の他の一部であり、着用者Ｍの一方の耳から首後ろに至る部分を略覆うためのものである。この第２マスク本体１２は、第１マスク本体１１とは別体に構成され、且つシート状体にて形成されており、図１、図３に示すように、着用者Ｍの右耳から首後ろに至る部分を略覆うことが可能な位置に設けられており、具体的には、第２マスク本体１２よりも右側に設けられている。
【００４４】
また、第２マスク本体１２の具体的な形状及び大きさについては任意であるが、実施の形態では、着用者Ｍの右耳から首後ろに至る部分を覆うことが可能な形状及び大きさに設定している。
【００４５】
具体的には、第２マスク本体１２の正面形状については、略台形状（具体的には、第１マスク本体１１から離れるにつれて上下方向の長さが短くなる略台形状）に設定している。ただし、これに限らず、例えば、略三角形状に設定してもよい。
【００４６】
また、第２マスク本体１２の左右方向の長さについては、第１マスク本体１１の左右方向の長さと略同一に設定している。ただし、これに限らず、例えば、第１マスク本体１１の左右方向の長さよりも長く又は短く設定してもよい。
【００４７】
また、第２マスク本体１２の上下方向の長さについては、第１マスク本体１１の上下方向の長さよりも短く設定している。
【００４８】
また、第２マスク本体１２の厚さ（具体的には、前後方向の長さ）については、第１マスク本体１１の厚さと略同一に設定している。
【００４９】
（構成−マスク本体−第３マスク本体）
図１に戻り、第３マスク本体１３は、マスク本体１０の基本構造体の他の一部であり、着用者Ｍの他方の耳から首後ろに至る部分を略覆うためのものである。この第３マスク本体１３は、第１マスク本体１１及び第２マスク本体１２とは別体に構成され、且つシート状体にて形成されており、着用者Ｍの左耳から首後ろに至る部分を略覆うことが可能な位置に設けられており、具体的には、図１に示すように、第３マスク本体１３よりも左側に設けられている。
【００５０】
また、第３マスク本体１３の具体的な形状及び大きさについては任意であるが、実施の形態では、着用者Ｍの左耳から首後ろに至る部分を覆うことが可能な形状及び大きさに設定している。
【００５１】
具体的には、第３マスク本体１３の正面形状については、略台形状（具体的には、第１マスク本体１１から離れるにつれて上下方向の長さが短くなる略台形状）に設定している。ただし、これに限らず、例えば、略三角形状に設定してもよい。
【００５２】
また、第３マスク本体１３の左右方向の長さについては、第２マスク本体１２の左右方向の長さと略同一に設定している。
【００５３】
また、第３マスク本体１３の上下方向の長さについては、第２マスク本体１２の上下方向の長さと略同一に設定している。
【００５４】
また、第３マスク本体１３の厚さ（具体的には、前後方向の長さ）については、第２マスク本体１２の厚さと略同一に設定している。
【００５５】
（構成−マスク本体−第１接続部）
第１接続部１４は、第１マスク本体１１と第２マスク本体１２とを所定の縫製方法によって接続する第１接続手段である。この第１接続部１４は、例えば公知の編み地（一例として、インターロック等）を用いて構成され、第１マスク本体１１及び第２マスク本体１２のマスク内面１０ａ側において、第１マスク本体１１と第２マスク本体１２との相互間に設けられている。具体的には、図１に示すように、上記相互間の全長にわたって配置され、第１マスク本体１１及び第２マスク本体１２に対して縫着等によって接続されている。
【００５６】
（構成−マスク本体−第２接続部）
第２接続部１５は、第１マスク本体１１と第３マスク本体１３とを所定の縫製方法によって接続する第２接続手段である。この第２接続部１５は、例えば公知の編み地（一例として、インターロック等）を用いて構成され、第１マスク本体１１及び第３マスク本体１３のマスク内面１０ａ側において、第１マスク本体１１と第３マスク本体１３との相互間に設けられている。具体的には、図１に示すように、上記相互間の全長にわたって配置され、第１マスク本体１１及び第３マスク本体１３に対して縫着等によって接続されている。
【００５７】
（構成−マスク本体−摘まみ部）
摘まみ部１６は、着用状態において、着用者Ｍによって当該摘まみ部１６が摘ままれながら引っ張られることにより首側着脱部２０を取り外すことを可能にする摘まみ手段である。
【００５８】
ここで、「着用状態」とは、着用者Ｍがフェイスマスク１を着用した状態を意味し、実施の形態では、マスク本体１０によって少なくとも着用者Ｍの顔の少なくとも一部及び首の少なくとも一部が覆われていると共に、首側着脱部２０によってマスク本体１０が着用者Ｍの首に対して取り付けられ、且つ耳側着脱部３０によってマスク本体１０が着用者Ｍの耳に対して取り付けられている状態として説明する。
【００５９】
この摘まみ部１６は、マスク本体１０の一部で構成されており、具体的には、第１マスク本体１１のゆとり部分で構成されており、直径１ｃｍ程度の大きさを有するように構成されている。また、この摘まみ部１６は、マスク本体１０の部分のうち着用者Ｍの顎下又はその近傍部分に対応する部分に設けられており、具体的には、図１に示すように、第１マスク本体１１の上側部分の略中央側に設けられている。
【００６０】
このような摘まみ部１６により、着用状態において首側着脱部２０の取り外しを容易にでき、フェイスマスク１の使用性を高めることができる。
【００６１】
（構成−マスク本体−プリーツ部）
プリーツ部１７は、マスク本体１０を立体的に構成してマスク本体１０を着用者Ｍの顔にフィットさせるためのものである。このプリーツ部１７は、マスク本体１０の一部（具体的には、第１マスク本体１１）を長尺な折り目状に形成したものであり、マスク本体１０の部分のうち着用者Ｍの鼻から口に至る部分に対応する部分のみに複数設けられている。具体的には、図１に示すように、第１マスク本体１１の上側部分（つまり、摘まみ部１６が設けられる部分）において、プリーツ部１７の長手方向が左右方向に略沿うように設けられていると共に（図１では、プリーツ部１７が第１マスク本体１１の左右方向の全長にわたって設けられており）、相互に間隔を隔てて上下方向に略沿って複数並設されている（図１では、３つ設けられている）。
【００６２】
このようなプリーツ部１７により、マスク本体１０を着用者Ｍの顔にフィットさせながら、摘まみ部１６を容易に形成でき、フェイスマスク１の着用性及び製造性を高めることができる。
【００６３】
（構成−マスク本体−補強部）
補強部１８は、第１マスク本体１１、第２マスク本体１２、及び第３マスク本体１３を補強するための補強手段である。この補強部１８は、例えば第１マスク本体１１、第２マスク本体１２、又は第３マスク本体１３の一部をパイピング状に折り畳んだものを縫着等にて固定することにより形成されており、図１に示すように、第１マスク本体１１、第２マスク本体１２、及び第３マスク本体１３の各々の上端部及び下端部に設けられている。
【００６４】
以上のようなマスク本体１０により、第１マスク本体１１、第２マスク本体１２、及び第３マスク本体１３を一体形成する場合に比べて、摘まみ部１６又は／及びプリーツ部１７を比較的容易に形成でき、フェイスマスク１の製造性を高めることができる。
【００６５】
（構成−首側着脱部）
次に、首側着脱部２０の構成について説明する。
【００６６】
首側着脱部２０は、マスク本体１０を着用者Ｍの首に対して着脱自在に取り付けるための首側着脱手段であり、図１に示すように、第１首側着脱部２１及び第２首側着脱部２２を備えている。
【００６７】
（構成−首側着脱部−第１首側着脱部）
第１首側着脱部２１は、首側着脱部２０の基本構造体の一部である。この第１首側着脱部２１は、マスク本体１０における幅方向（図１では、左右方向）の一方の端部に設けられており、具体的には、図１、図３、図４に示すように、第２マスク本体１２のマスク内面１０ａの右端部に配置され、公知の基材２３（一例として、２層構造のニット基材等）を介して第２マスク本体１２に対して縫着等によって接続されている。
【００６８】
（構成−首側着脱部−第２首側着脱部）
図１に戻り、第２首側着脱部２２は、首側着脱部２０の基本構造体の他の一部であり、第１首側着脱部２１に対して突き合わせることで取り付け可能な第２首側着脱手段である。この第２首側着脱部２２は、マスク本体１０における幅方向（図１では、左右方向）の他方の端部に設けられており、具体的には、図１、図４に示すように、第３マスク本体１３のマスク内面１０ａの左端部に配置され、上記基材２３を介して第３マスク本体１３に対して縫着等によって接続されている。
【００６９】
（構成−首側着脱部−その他の構成）
図１に戻り、また、首側着脱部２０の具体的な構成については任意であるが、実施の形態では以下の通りに構成されている。
【００７０】
すなわち、まず、第１首側着脱部２１又は／及び第２首側着脱部２２は、上記幅方向に略沿って複数並設されている。具体的には、図１（ｂ）に示すように、第１首側着脱部２１は、上記幅方向に略沿って２つ並設されていると共に、第２首側着脱部２２は、１つのみ設けられている。
【００７１】
このような構成により、着用者Ｍの顔の大きさに応じて第２首側着脱部２２を複数の第１首側着脱部２１のいずれかに取り付けることができ、フェイスマスク１を着用者Ｍに対してフィットさせやすくなる。
【００７２】
ただし、上記構成に限らず、例えば、第１首側着脱部２１は、１つのみ設けられると共に、第２首側着脱部２２は、上記幅方向に略沿って２つ並設されてもよい。あるいは、第１首側着脱部２１及び第２首側着脱部２２は、上記幅方向に略沿ってそれぞれ２つ並設されてもよい。
【００７３】
なお、上記構成において、摘まみ部１６の設置方法については任意であるが、実施の形態では、着用状態において首側着脱部２０の取り外しを容易に行う観点から、第１首側着脱部２１と第２首側着脱部２２を相互に結ぶ直線Ｌ（図１（ａ）では、想像線で示す）上に、摘まみ部１６を設けている。具体的には、図１（ａ）に示すように、上記幅方向に略沿った上記直線Ｌの略中央の部分上に摘まみ部１６が位置するように、摘まみ部１６を設けている。
【００７４】
また、首側着脱部２０は、スナッパーで構成されている。具体的には、第１首側着脱部２１は、スナッパーの雌部材（例えば、テーピースナッパー（登録商標）の雌スナップ）で構成されていると共に、第２首側着脱部２２は、スナッパーの雄部材（例えば、テーピースナッパーの雌スナップ）で構成されている。ただし、これに限らず、例えば、第１首側着脱部２１は、スナッパーの雄部材で構成されると共に、第２首側着脱部２２は、スナッパーの雌部材で構成されてもよい。
【００７５】
このような構成により、首側着脱部２０を安価且つ簡易に構成でき、フェイスマスク１の製造性を高めることができる。
【００７６】
以上のような首側着脱部２０により、第２首側着脱部２２を第１首側着脱部２１に対して突き合わせることで取り付けることができる。よって、着用状態において、第１首側着脱部２１及び第２首側着脱部２２の取付面を首の前後方向に対して略沿わせることができ、マスク本体１０（具体的には、摘まみ部１６）が首の前側に向けて引っ張られた際に、第１首側着脱部２１及び第２首側着脱部２２が取り付けられた状態を解除しやすくなる。
【００７７】
（構成−耳側着脱部）
次に、耳側着脱部３０の構成について説明する。
【００７８】
耳側着脱部３０は、マスク本体１０を着用者Ｍの耳に対して着脱自在に取り付けるための耳側着脱手段であり、図１（ｂ）に示すように、第１耳側着脱部３１及び第２耳側着脱部３２を備えている。
【００７９】
（構成−耳側着脱部−第１耳側着脱部）
第１耳側着脱部３１は、マスク本体１０を着用者Ｍの右耳に対して着脱自在に取り付けるためのものである。この第１耳側着脱部３１は、例えば公知の耳掛け用紐材（一例として、右耳にかけることが可能な長さを有する略ループ状の紐材）で構成されており、図１（ｂ）、図２に示すように、マスク本体１０のマスク内面１０ａにおいて着用者Ｍの右耳に対応する部分に設けられている。
【００８０】
（構成−耳側着脱部−第２耳側着脱部）
第２耳側着脱部３２は、マスク本体１０を着用者Ｍの左耳に対して着脱自在に取り付けるためのものである。この第２耳側着脱部３２は、例えば公知の耳掛け用紐材（一例として、左耳にかけることが可能な長さを有する略ループ状の紐材）で構成されており、図１（ｂ）、図２に示すように、マスク本体１０のマスク内面１０ａにおいて着用者Ｍの左耳に対応する部分に設けられている。
【００８１】
（構成−耳側着脱部−その他の構成）
また、耳側着脱部３０の固定方法については任意であるが、実施の形態では、耳側着脱部３０（第１耳側着脱部３１及び第２耳側着脱部３２）を、第１接続部１４又は第２接続部１５に対して固定している。具体的には、図１（ｂ）に示すように、第１耳側着脱部３１を第１接続部１４に対して縫着等によって固定している。また、第２耳側着脱部３２を第２接続部１５に対して縫着等によって固定している。
【００８２】
このような固定方法により、耳側着脱部３０を強固に固定でき、耳側着脱部３０の固定性を高めることができる。
【００８３】
以上のようなフェイスマスク１により、着用状態において、マスク本体１０（具体的には、摘まみ部１６）が首の前側に向けて引っ張られた際に、首側着脱部２０を容易に取り外すことができ、フェイスマスク１の使用性を高めることができる。
【００８４】
（フェイスマスクの作用について）
続いて、このように構成されたフェイスマスク１の作用について説明する。
【００８５】
このフェイスマスク１の作用は、着用者Ｍがフェイスマスク１を着用する際の作用（以下、「第１作用」と称する）と、着用者Ｍがフェイスマスク１を取り外す際の作用（以下、「第２作用」と称する）とに大別される。
【００８６】
（フェイスマスクの作用−第１作用）
最初に、第１作用について説明する。
【００８７】
例えば、マスク本体１０によって少なくとも着用者Ｍの顔の少なくとも一部及び首の少なくとも一部が覆われると共に、首側着脱部２０によってマスク本体１０が着用者Ｍの首に対して取り付けられ、且つ耳側着脱部３０によってマスク本体１０が着用者Ｍの耳に対して取り付けられることにより、図２から図４に示すように、フェイスマスク１が着用者Ｍに着用される。
【００８８】
この場合において、上述したように、第１首側着脱部２１が、上記幅方向に略沿って２つ並設されていると共に、第２首側着脱部２２が、１つのみ設けられているので、着用者Ｍの顔の大きさに応じて第２首側着脱部２２を複数の第１首側着脱部２１のいずれかに取り付けることができ、フェイスマスク１を着用者Ｍに対してフィットさせやすくなる。
【００８９】
（フェイスマスクの作用−第２作用）
次に、第２作用について説明する。
【００９０】
例えば、着用状態において、マスク本体１０の摘まみ部１６が首の前側に向けて引っ張られると、首側着脱部２０が着用者Ｍの首から取り外れ、且つ耳側着脱部３０が着用者Ｍの耳から取り外れることで、フェイスマスク１が着用者Ｍから取り外される。
【００９１】
この場合において、上述したように、第２首側着脱部２２が第１首側着脱部２１に対して突き合わせることで取り付けられているので、第１首側着脱部２１及び第２首側着脱部２２が取り付けられた状態を容易に解除できる。
【００９２】
また、第１首側着脱部２１と第２首側着脱部２２を相互に結ぶ直線Ｌ上に摘まみ部１６が設けられているので、摘まみ部１６を介して第１首側着脱部２１及び第２首側着脱部２２を効果的に引っ張ることができ、着用状態において首側着脱部２０の取り外しを容易に行うことができる。
【００９３】
（実施の形態の効果）
このように実施の形態によれば、首側着脱部２０が、マスク本体１０における幅方向の一方の端部に設けられた第１首側着脱部２１と、マスク本体１０における幅方向の他方の端部に設けられた第２首側着脱部２２であり、第１首側着脱部２１に対して突き合わせることで取り付け可能な第２首側着脱部２２と、を備えるので、着用状態において、マスク本体１０が首の前側に向けて引っ張られた際に、首側着脱部２０を容易に取り外すことができ、フェイスマスク１の使用性を高めることができる。
【００９４】
また、第１首側着脱部２１又は／及び第２首側着脱部２２を、幅方向に略沿って複数並設したので、着用者Ｍの顔の大きさに応じて第２首側着脱部２２を複数の第１首側着脱部２１のいずれかに取り付けることができ、フェイスマスク１を着用者Ｍに対してフィットさせやすくなる。
【００９５】
また、首側着脱部２０を、スナッパー又は面ファスナーで構成したので、首側着脱部２０を安価且つ簡易に構成でき、フェイスマスク１の製造性を高めることができる。
【００９６】
また、マスク本体１０が、当該マスク本体１０の部分のうち着用者Ｍの顎下又はその近傍部分に対応する部分に設けられる摘まみ部１６であり、着用状態において、着用者Ｍによって当該摘まみ部１６が摘ままれながら引っ張られることにより首側着脱部２０を取り外すことを可能にする摘まみ部１６を備えるので、着用状態において首側着脱部２０の取り外しを容易にでき、フェイスマスク１の使用性を一層高めることができる。
【００９７】
また、第１首側着脱部２１と第２首側着脱部２２を相互に結ぶ直線Ｌ上に、摘まみ部１６を設けたので、摘まみ部１６を介して第１首側着脱部２１及び第２首側着脱部２２を効果的に引っ張ることができ、着用状態において首側着脱部２０の取り外しを一層容易に行うことができる。
【００９８】
また、マスク本体１０が、当該マスク本体１０の部分のうち着用者Ｍの鼻から口に至る部分に対応する部分のみに設けられる複数のプリーツ部１７を備えるので、マスク本体１０を着用者Ｍの顔にフィットさせながら、摘まみ部１６を容易に形成でき、フェイスマスク１の着用性及び製造性を高めることができる。
【００９９】
また、マスク本体１０が、着用者Ｍの鼻から首元に至る部分を略覆う第１マスク本体１１と、第１マスク本体１１とは別体に構成された第２マスク本体１２であり、着用者Ｍの一方の耳から首後ろに至る部分を略覆う第２マスク本体１２と、第１マスク本体１１及び第２マスク本体１２とは別体に構成された第３マスク本体１３であり、着用者Ｍの他方の耳から首後ろに至る部分を略覆う第３マスク本体１３と、第１マスク本体１１と第２マスク本体１２とを所定の縫製方法によって接続する第１接続部１４と、第１マスク本体１１と第３マスク本体１３とを所定の縫製方法によって接続する第２接続部１５と、を備えるので、第１マスク本体１１、第２マスク本体１２、及び第３マスク本体１３を一体形成する場合に比べて、摘まみ部１６又は／及びプリーツ部１７を比較的容易に形成でき、フェイスマスク１の製造性を一層高めることができる。
【０１００】
また、耳側着脱部３０を、第１接続部１４又は第２接続部１５に対して固定したので、耳側着脱部３０を強固に固定でき、耳側着脱部３０の固定性を高めることができる。
【０１０１】
〔ＩＩＩ〕実施の形態に対する変形例
以上、本考案に係る実施の形態について説明したが、本考案の具体的な構成及び手段は、実用新案登録請求の範囲に記載した各考案の技術的思想の範囲内において、任意に改変及び改良することができる。以下、このような変形例について説明する。
【０１０２】
（解決しようとする課題や考案の効果について）
まず、考案が解決しようとする課題や考案の効果は、上述の内容に限定されるものではなく、考案の実施環境や構成の細部に応じて異なる可能性があり、上述した課題の一部のみを解決したり、上述した効果の一部のみを奏したりすることがある。
【０１０３】
（形状、数値、構造、時系列について）
上記実施の形態や図面において例示した構成要素に関して、形状、数値、又は複数の構成要素の構造若しくは時系列の相互関係については、本考案の技術的思想の範囲内において、任意に改変及び改良することができる。
【０１０４】
（本考案の適用対象について）
上記実施の形態では、本考案が、医療用マスクに適用されていると説明したが、これに限らず、例えば、フェイスマスク１を備えるガウン４０（例えば、医療用ガウン）に適用されてもよい。
【０１０５】
一例として、図５に示すように、ガウン４０は、ガウン本体５０と、実施の形態に係るフェイスマスク１とを備えてもよい。
【０１０６】
ここで、ガウン本体５０は、ガウン４０の基本構造体であり、第１マスク本体１１の材質と略同一の材質からなるシート状体にて形成されている。
【０１０７】
ここで、ガウン本体５０は、以下のように５つの領域に区分される。すなわち、このガウン本体５０は、着用者Ｍの腹側を覆う前身頃５１と、着用者Ｍの右側背中を覆う右側後身頃５２と、着用者Ｍの左側背中を覆う左側後身頃５３と、着用者Ｍの右腕を覆う右袖部５４と、着用者Ｍの左腕を覆う左袖部５５とに区分される。
【０１０８】
また、図５に示すように、前身頃５１及び後身頃の各々の上端部を襟口部６１と称し、前身頃５１及び後身頃の各々の下端部を裾口部６２と称し、右袖部５４及び左袖部５５の各々の先端部を袖口部６３と称する。
【０１０９】
また、図５に示すように、襟口部６１には、前身頃５１、右側後身頃５２、及び左側後身頃５３を着用者Ｍの首に対して取り付けるための紐材６４が設けられている。また、右側後身頃５２及び左側後身頃５３には、前身頃５１、右側後身頃５２、及び左側後身頃５３を着用者Ｍに対して取り付けるための複数の帯片６５が設けられている。
【０１１０】
また、ガウン本体５０とフェイスマスク１との接続方法については任意であるが、例えば、図５に示すように、フェイスマスク１の第１マスク本体１１の下端部を、ガウン本体５０の襟口部６１又はその近傍部分に対して縫着等によって接続している。
【０１１１】
このようなガウン４０により、着用状態において、マスク本体１０（具体的には、摘まみ部１６）が首の前側に向けて引っ張られた際に、首側着脱部２０を容易に取り外すことができ、フェイスマスク１の使用性を高めることができる。
【０１１２】
（フェイスマスクについて）
上記実施の形態では、フェイスマスク１が、耳側着脱部３０を備えていると説明したが、これに限らない。例えば、首側着脱部２０のみを用いて、マスク本体１０によって少なくとも着用者Ｍの顔の少なくとも一部及び首の少なくとも一部が覆われている状態を維持できる場合には、耳側着脱部３０を省略してもよい。この場合にいて、着用状態は、マスク本体１０によって少なくとも着用者Ｍの顔の少なくとも一部及び首の少なくとも一部が覆われていると共に、首側着脱部２０によってマスク本体１０が着用者Ｍの首に対して取り付けられている状態が該当する。
【０１１３】
（マスク本体について）
上記実施の形態では、マスク本体１０が、第１接続部１４、第２接続部１５、摘まみ部１６、プリーツ部１７、及び補強部１８を備えていると説明したが、これに限らず、例えば、第１接続部１４、第２接続部１５、摘まみ部１６、プリーツ部１７、又は／及び補強部１８を省略してもよい。
【０１１４】
一例として、第１マスク本体１１、第２マスク本体１２、第３マスク本体１３が一体に形成される場合には、第１接続部１４及び第２接続部１５を省略してもよい。また、上記実施の形態では、第１マスク本体１１、第２マスク本体１２、第３マスク本体１３が、高密度タフタで構成されていると説明したが、これに限らず、例えば、マスク用の紙材又は不織布で構成されてもよい。
【０１１５】
また、上記実施の形態では、プリーツ部１７の設置数が３つであると説明したが、これに限らず、例えば、３つ未満、又は４つ以上であってもよい。
【０１１６】
（首側着脱部について）
上記実施の形態では、第１首側着脱部２１又は／及び第２首側着脱部２２が、上記幅方向に略沿って複数並設されていると説明したが、これに限らず、例えば、第１首側着脱部２１及び第２首側着脱部２２は、それぞれ１つのみ設けられてもよい。
【０１１７】
また、上記実施の形態では、首側着脱部２０がスナッパーで構成されていると説明したが、これに限らず、例えば、面ファスナーで構成されてもよい。一例として、第１首側着脱部２１は、面ファスナーの雌部材又は雄部材のいずれか一方で構成されると共に、第２首側着脱部２２は、面ファスナーの雌部材又は雄部材のいずれか他方で構成されてもよい。
【０１１８】
（摘まみ部について）
上記実施の形態では、摘まみ部１６が、マスク本体１０の一部で構成されていると説明したが、これに限らず、例えば、マスク本体１０とは別体に構成された部材で構成されてもよい。一例として、摘まみ部１６が、マスク本体１０とは別体に構成されたタグ状体で形成され、摘まみ部１６の端部の一部が第１マスク本体１１に対して縫着等によって接続されてもよい。
【０１１９】
また、上記実施の形態では、摘まみ部１６が、第１首側着脱部２１と第２首側着脱部２２を相互に結ぶ直線Ｌ上に設けられていると説明したが、これに限らず、例えば、当該直線Ｌ上から外れるように設けられてもよい。
【０１２０】
（耳側着脱部について）
上記実施の形態では、耳側着脱部３０（第１耳側着脱部３１及び第２耳側着脱部３２）が、第１接続部１４又は第２接続部１５に対して固定されていると説明したが、これに限らない。例えば、耳側着脱部３０は、第１マスク本体１１、第２マスク本体１２、又は第３マスク本体１３に対して固定されてもよい。
【０１２１】
（付記）
付記１のフェイスマスクは、着用者が着用するフェイスマスクであって、少なくとも前記着用者の顔の少なくとも一部及び首の少なくとも一部を覆うマスク本体と、前記マスク本体を前記着用者の首に対して着脱自在に取り付けるための首側着脱手段と、を備え、前記首側着脱手段は、前記マスク本体における幅方向の一方の端部に設けられた第１首側着脱手段と、前記マスク本体における幅方向の他方の端部に設けられた第２首側着脱手段であり、前記第１首側着脱手段に対して突き合わせることで取り付け可能な第２首側着脱手段と、を備える。
【０１２２】
付記２のフェイスマスクは、付記１に記載のフェイスマスクにおいて、前記第１首側着脱手段又は／及び前記第２首側着脱手段を、前記幅方向に略沿って複数並設した。
【０１２３】
付記３のフェイスマスクは、付記１又は２に記載のフェイスマスクにおいて、前記首側着脱手段を、スナッパー又は面ファスナーで構成した。
【０１２４】
付記４のフェイスマスクは、付記１から３のいずれか一項に記載のフェイスマスクにおいて、前記マスク本体は、当該マスク本体の部分のうち前記着用者の顎下又はその近傍部分に対応する部分に設けられる摘まみ手段であり、前記着用者が当該フェイスマスクを着用した着用状態において、前記着用者によって当該摘まみ手段が摘ままれながら引っ張られることにより前記首側着脱手段を取り外すことを可能にする摘まみ手段を備える。
【０１２５】
付記５のフェイスマスクは、付記４に記載のフェイスマスクにおいて、前記第１首側着脱手段と前記第２首側着脱手段を相互に結ぶ直線上に、前記摘まみ手段を設けた。
【０１２６】
付記６のフェイスマスクは、付記４又は５に記載のフェイスマスクにおいて、前記マスク本体は、当該マスク本体の部分のうち前記着用者の鼻から口に至る部分に対応する部分のみに設けられる複数のプリーツ手段を備える。
【０１２７】
付記７のフェイスマスクは、付記４から６のいずれか一項に記載のフェイスマスクにおいて、前記マスク本体は、前記着用者の鼻から首元に至る部分を略覆う第１マスク本体と、前記第１マスク本体とは別体に構成された第２マスク本体であり、前記着用者の一方の耳から首後ろに至る部分を略覆う第２マスク本体と、前記第１マスク本体及び前記第２マスク本体とは別体に構成された第３マスク本体であり、前記着用者の他方の耳から首後ろに至る部分を略覆う第３マスク本体と、前記第１マスク本体と前記第２マスク本体とを所定の縫製方法によって接続する第１接続手段と、前記第１マスク本体と前記第３マスク本体とを所定の縫製方法によって接続する第２接続手段と、を備える。
【０１２８】
付記８のフェイスマスクは、付記７に記載のフェイスマスクにおいて、前記マスク本体を前記着用者の耳に対して着脱自在に取り付けるための耳側着脱手段を備え、前記耳側着脱手段を、前記第１接続手段又は前記第２接続手段に対して固定した。
【０１２９】
付記９のガウンは、付記１から付記８のいずれか一項に記載のフェイスマスクを備える。
【０１３０】
（付記の効果）
付記１に記載のフェイスマスク、及び付記９に記載のガウンによれば、首側着脱手段が、マスク本体における幅方向の一方の端部に設けられた第１首側着脱手段と、マスク本体における幅方向の他方の端部に設けられた第２首側着脱手段であり、第１首側着脱手段に対して突き合わせることで取り付け可能な第２首側着脱手段と、を備えるので、着用状態において、マスク本体が首の前側に向けて引っ張られた際に、首側着脱手段を容易に取り外すことができ、フェイスマスクの使用性を高めることができる。
【０１３１】
付記２に記載のフェイスマスクによれば、第１首側着脱手段又は／及び第２首側着脱手段を、幅方向に略沿って複数並設したので、着用者の顔の大きさに応じて第２首側着脱手段を複数の第１首側着脱手段のいずれかに取り付けることができ、フェイスマスクを着用者に対してフィットさせやすくなる。
【０１３２】
付記３に記載のフェイスマスクによれば、首側着脱手段を、スナッパー又は面ファスナーで構成したので、首側着脱手段を安価且つ簡易に構成でき、フェイスマスクの製造性を高めることができる。
【０１３３】
付記４に記載のフェイスマスクによれば、マスク本体が、当該マスク本体の部分のうち着用者の顎下又はその近傍部分に対応する部分に設けられる摘まみ手段であり、着用状態において、着用者によって当該摘まみ手段が摘ままれながら引っ張られることにより首側着脱手段を取り外すことを可能にする摘まみ手段を備えるので、着用状態において首側着脱手段の取り外しを容易にでき、フェイスマスクの使用性を一層高めることができる。
【０１３４】
付記５に記載のフェイスマスクによれば、第１首側着脱手段と第２首側着脱手段を相互に結ぶ直線上に、摘まみ手段を設けたので、摘まみ手段を介して第１首側着脱手段及び第２首側着脱手段を効果的に引っ張ることができ、着用状態において首側着脱手段の取り外しを一層容易に行うことができる。
【０１３５】
付記６に記載のフェイスマスクによれば、マスク本体が、当該マスク本体の部分のうち着用者の鼻から口に至る部分に対応する部分のみに設けられる複数のプリーツ手段を備えるので、マスク本体を着用者の顔にフィットさせながら、摘まみ手段を容易に形成でき、フェイスマスクの着用性及び製造性を高めることができる。
【０１３６】
付記７に記載のフェイスマスクによれば、マスク本体が、着用者の鼻から首元に至る部分を略覆う第１マスク本体と、第１マスク本体とは別体に構成された第２マスク本体であり、着用者の一方の耳から首後ろに至る部分を略覆う第２マスク本体と、第１マスク本体及び第２マスク本体とは別体に構成された第３マスク本体であり、着用者の他方の耳から首後ろに至る部分を略覆う第３マスク本体と、第１マスク本体と第２マスク本体とを所定の縫製方法によって接続する第１接続手段と、第１マスク本体と第３マスク本体とを所定の縫製方法によって接続する第２接続手段と、を備えるので、第１マスク本体、第２マスク本体、及び第３マスク本体を一体形成する場合に比べて、摘まみ手段又は／及びプリーツ手段を比較的容易に形成でき、フェイスマスクの製造性を一層高めることができる。
【０１３７】
付記８に記載のフェイスマスクによれば、耳側着脱手段を、第１接続手段又は第２接続手段に対して固定したので、耳側着脱手段を強固に固定でき、耳側着脱手段の固定性を高めることができる。
【符号の説明】
【０１３８】
１  フェイスマスク
１０  マスク本体
１０ａ  マスク内面
１０ｂ  マスク外面
１１  第１マスク本体
１２  第２マスク本体
１３  第３マスク本体
１４  第１接続部
１５  第２接続部
１６  摘まみ部
１７  プリーツ部
１８  補強部
２０  首側着脱部
２１  第１首側着脱部
２２  第２首側着脱部
２３  基材
３０  耳側着脱部
３１  第１耳側着脱部
３２  第２耳側着脱部
４０  ガウン
５０  ガウン本体
５１  前身頃
５２  右側後身頃
５３  左側後身頃
５４  右袖部
５５  左袖部
６１  襟口部
６２  裾口部
６３  袖口部
６４  紐材
６５  帯片
Ｌ  直線
Ｍ  着用者
【図１】
0003235613.tif 000003
【図２】
0003235613.tif 000004
【図３】
0003235613.tif 000005
【図４】
0003235613.tif 000006
【図５】
0003235613.tif 000007